(57)【要約】【課題】付加価値を高めた画像形成装置を提供する。【解決手段】画像形成装置は、プラテンガラス１３の原稿載置面１３ａを開閉するプラテンカバーと、前記プラテンカバーに設けられ、前記原稿載置面１３ａに原稿を押し付けるプラテンシート３５と、原稿の画像を光学的に読み取る読取手段７と、透明な底板４１を有し、該底板４１が前記プラテンシート３５に面するように前記プラテンカバーに設けられる、光学的に読取可能なコードが付された物品が収納される収納庫３３と、前記プラテンシート３５を前記収納庫３３の底板４１の下方から退避させるプラテンシート退避手段３７と、前記プラテンシート３５を前記収納庫３３の底板の下方から退避させ、前記読取手段７によって前記底板４１を通して前記コードを読み取り、読み取った前記コードを基にして前記収納庫３３への前記物品の入出庫を管理する入出庫管理手段と、を備えている。【選択図】図２
2020182058.tif 000002
【特許請求の範囲】
【請求項１】
プラテンガラスの原稿載置面を開閉するプラテンカバーと、
前記プラテンカバーに設けられ、前記原稿載置面に原稿を押し付けるプラテンシートと、
前記プラテンシートによって前記原稿載置面に押し付けられた原稿の画像を光学的に読み取る読取手段と、
透明な底板を有し、該底板が前記プラテンシートに面するように前記プラテンカバーに設けられる、光学的に読取可能なコードが付された物品が収納される収納庫と、
前記プラテンシートを前記収納庫の底板の下方から退避させるプラテンシート退避手段と、
前記プラテンシート退避手段によって前記プラテンシートを前記収納庫の底板の下方から退避させ、前記読取手段によって前記底板を通して前記コードを読み取り、読み取った前記コードを基にして前記収納庫への前記物品の入出庫を管理する入出庫管理手段と、を備えていることを特徴とする画像形成装置。
【請求項２】
前記収納庫を解錠及び施錠する電気錠と、
前記電気錠を解錠又は施錠するユーザーを認証する個人認証手段と、を備え、
前記電気錠は、前記個人認証手段によって特定のユーザーと認定された場合のみ、該ユーザーに解錠及び施錠を許可することを特徴とする請求項１に記載の画像形成装置。
【請求項３】
複数台の前記画像形成装置間で相互に通信を行うための通信回路を備え、
前記入出庫管理手段は、前記通信回路を介して複数台の前記画像形成装置の前記収納庫への前記物品の入出庫を管理することを特徴とする請求項１又は２に記載の画像形成装置。
【発明の詳細な説明】
【技術分野】
【０００１】
本発明は、画像形成装置に関する。
【背景技術】
【０００２】
特許文献１には、機密文書が印刷された用紙を収納する鍵付きの収納ボックスを備えた画像形成装置が記載されている。
【先行技術文献】
【特許文献】
【０００３】
【特許文献１】特開２００７−８７３７３号公報
【発明の概要】
【発明が解決しようとする課題】
【０００４】
上記特許文献１の画像形成装置の収納ボックスは機密文書の収納に限られているが、ＵＳＢメモリーやＩＣカード、鍵のような物品を収納可能で、かつ、これらの物品の入出庫が管理可能な収納ボックスを備えれば、画像形成装置の付加価値を高めることができる。
【０００５】
本発明は上記事情を考慮し、付加価値を高めた画像形成装置を提供することを目的とする。
【課題を解決するための手段】
【０００６】
上記課題を解決するため、本発明の画像形成装置は、プラテンガラスの原稿載置面を開閉するプラテンカバーと、前記プラテンカバーに設けられ、前記原稿載置面に原稿を押し付けるプラテンシートと、前記プラテンシートによって前記原稿載置面に押し付けられた原稿の画像を光学的に読み取る読取手段と、透明な底板を有し、該底板が前記プラテンシートに面するように前記プラテンカバーに設けられる、光学的に読取可能なコードが付された物品が収納される収納庫と、前記プラテンシートを前記収納庫の底板の下方から退避させるプラテンシート退避手段と、前記プラテンシート退避手段によって前記プラテンシートを前記収納庫の底板の下方から退避させ、前記読取手段によって前記底板を通して前記コードを読み取り、読み取った前記コードを基にして前記収納庫への前記物品の入出庫を管理する入出庫管理手段と、を備えていることを特徴とする。
【０００７】
本発明の画像形成装置において、前記収納庫を解錠及び施錠する電気錠と、前記電気錠を解錠又は施錠するユーザーを認証する個人認証手段と、を備え、前記電気錠は、前記個人認証手段によって特定のユーザーと認定された場合のみ、該ユーザーに解錠及び施錠を許可することを特徴としてもよい。
【０００８】
本発明の画像形成装置において、複数台の前記画像形成装置間で相互に通信を行うための通信回路を備え、前記入出庫管理手段は、前記通信回路を介して複数台の前記画像形成装置の前記収納庫への前記物品の入出庫を管理することを特徴としてもよい。
【発明の効果】
【０００９】
本発明によれば、物品の入出庫の管理が可能な収納庫を備えるので、画像形成装置の付加価値を高めることができる。
【図面の簡単な説明】
【００１０】
【図１】本発明の一実施形態に係る画像形成装置を示す正面図である。
【図２】本発明の一実施形態に係る画像形成装置の収納庫、プラテンシート、巻取機構、スキャナーを示す断面図である。
【図３】本発明の一実施形態に係る画像形成装置のプラテンシート及び巻取機構を示す斜視図である。
【図４】本発明の一実施形態に係る画像形成装置のコントローラーのブロック図である。
【図５】本発明の一実施形態に係る画像形成装置における物品管理処理を示すフローチャートである。
【図６】本発明の一実施形態に係る画像形成装置における物品コード検知処理を示すフローチャートである。
【図７】本発明の一実施形態に係る画像形成装置における入出庫管理表を示す図である。
【図８】本発明の一実施形態に係る画像形成装置における各物品の収納フラグの状態を示す表である。
【図９】本発明の一実施形態に係る画像形成装置における入出庫管理表の他の例を示す図である。
【発明を実施するための形態】
【００１１】
以下、図面を参照しつつ本発明の画像形成装置について説明する。
【００１２】
まず、図１を参照して、画像形成装置１について説明する。図１は画像形成装置１の内部構成を模式的に示す正面図である。各図に記されるＬ、Ｒは、画像形成装置の左側、右側をそれぞれ示す。
【００１３】
画像形成装置１は、上部に画像読取装置３を備えている。画像形成装置１は、画像読取装置３で読み取られた画像データ、又は、外部のパーソナルコンピューターから入力された画像データに基づいて、電子写真方式によって用紙に画像を形成する。画像形成装置１には、ＩＣカードリーダー５が備えられている。なお、画像形成装置１はインクジェット方式によって用紙に画像を形成してもよい。
【００１４】
次に、画像読取装置３について説明する。画像読取装置３は、読取手段としてのスキャナー７と、プラテンカバー９と、を備えている。また、画像読取装置３は、原稿を自動的に搬送して画像を読み取る原稿搬送読取装置を備えていてもよい。あるいは、プラテンカバー９に、原稿搬送読取機能が備えられていてもよい。
【００１５】
スキャナー７は、上面が開口した直方体の箱状の筐体１１を有している。筐体１１の上面には、プラテンガラス１３が装着されている。プラテンガラス１３の上面は、原稿が載置される原稿載置面１３ａとなっている。筐体１１には、第１キャリッジ１５に支持された光源１７及び第１反射ミラー１９と、第２キャリッジ２１に支持された第２及び第３反射ミラー２３及び２５と、ＣＣＤセンサー２７と、が収容されている。第１及び第２キャリッジ１５及び２１は、図１の左右方向（副走査方向）に移動可能である。光源１７は、プラテンガラス１３の原稿載置面１３ａに載置された原稿に向かって光を出射する。第１反射ミラー１９は、原稿で反射した反射光を水平方向に反射する。第２反射ミラー２３は、第１反射ミラー１９で反射した反射光を下方に反射し、第３反射ミラー２５は、第２反射ミラー２３で反射した反射光を水平方向に反射する。ＣＣＤセンサー２７は、主走査方向に配列された複数の受光素子を有する。複数の受光素子は、第３反射ミラー２５で反射した反射光を結像レンズを介して受光し、受光量に対応する電気信号を出力する。
【００１６】
第１及び第２キャリッジ１５及び２１を副走査方向に移動させることで、原稿載置面１１３ａに載置された原稿がスキャンされて、ＣＣＤセンサー２７から原稿の画像に対応した電気信号が出力される。
【００１７】
プラテンカバー９は、スキャナー７の後端部に設けられた支点に、上下方向に回動可能に支持されている。プラテンカバー９が支点を中心として上方向に回動すると、スキャナー７のプラテンガラス１３の原稿載置面１３ａが開かれ、下方向に回動すると、原稿載置面１３ａが閉じられる。
【００１８】
プラテンカバー９は、扁平な略直方体状の筐体３１を備えている。筐体３１の底板には開口３２が形成されている。筐体３１には、物品を収納可能な収納庫３３と、プラテンカバー９が閉じられた際に、プラテンガラス１３の原稿載置面１３ａに載置された原稿を原稿載置面１３ａに対して押し当てるプラテンシート３５と、プラテンシート３５を収納庫３３の下方から退避させるプラテンシート退避手段としての巻取機構３７と、が備えられている。
【００１９】
図２及び図３も参照して、収納庫３３、プラテンシート３５、巻取機構３７について説明する。収納庫３３は、ＵＳＢメモリーや鍵、ＩＣカード等の物品Ａを収納可能な寸法の箱形状を有しており、透明な材料（例えば透明ガラス）で形成された底板４１と、電気錠４５によって開閉される蓋４７（図１参照）と、を備えている。蓋４７は、例えば、筐体３１の前側の側板の一部として形成されている。あるいは、筐体３１の天板の一部として形成されてもよい。収納庫３３は、蓋４７の開閉を検知する蓋開閉検知手段４９を備えている。蓋開閉検知手段４９は、例えば光センサーや接触式のスイッチ等を使用できる。蓋開閉検知手段４９は、蓋４７が閉じられるとオン信号を出力し、蓋４７が開かれるとオフ信号を出力する。
【００２０】
収納庫３３は、底板４１が、筐体３１の底板の開口面にできるだけ近接するように配置されて、筐体３１の内部に支持されている。
【００２１】
ここで、収納庫３３に収納される物品Ａについて説明する。物品Ａには、当該物品を識別する光学的に読取可能なコードが記されたタグ５１が付されている。コードは、例えば、二次元バーコード、ＱＲコード（登録商標）、文字列である。図２に示されるように、物品Ａは、タグ５１に記されたコードが底板４１に面するように、収納庫３３に収納される。なお、収納庫３３には、収納された物品Ａを底板４１に押し付けて保持する押さえ部材が備えられていてもよい。
【００２２】
プラテンシート３５は、プラテンガラス１３の原稿載置面１３ａの幅（前後方向の長さ）よりも広い幅と、原稿載置面１３ａの長さ（左右方向の長さ）よりも長い長さと、を有する長尺シートである。プラテンシート３５は、白色の可撓性を有する材料で形成されている。図３に示されるように、プラテンシート３５の所定の位置には、収納庫３３の底板４１に対応する寸法を有する窓部５３が形成されている。
【００２３】
巻取機構３７は、プラテンシート３５の長手方向の一端及び他端に固定された巻取ローラー６１及び繰出ローラー６３と、巻取ローラー６１を巻取方向に付勢するリトラクター６５と、繰出ローラー６３を巻取方向へ回転させるモーター６７と、を備えている。巻取ローラー６１は、リトラクター６５によって巻取方向に付勢されて、プラテンシート３５が巻取ローラー６１に巻き取られている。繰出ローラー６３は、モーター６７によって巻取方向に回転し、プラテンシート３５を巻取ローラー６１から引き出す。巻取ローラー６１と繰出ローラー６３とは、それぞれ軸方向が前後方向に沿う姿勢で、開口３２の右端部と左端部の上方において、筐体３１にそれぞれ回転可能に支持されている。
【００２４】
プラテンシート３５は、両ローラー６１及び６３間に緊張状態で掛け渡されて開口３２を閉じている。ここで、収納庫３３の底板４１は、上方からプラテンシート３５に接触、あるいは、わずかな間隔を開けて対向する。プラテンシート３５が開口３２を閉じた状態でプラテンカバー９が閉じられると、プラテンシート３５によって、原稿載置面１３ａに載置された原稿が原稿載置面１３ａに押さえ付けられる。
【００２５】
モーター６７が所定の回転数だけ回転して、繰出ローラー６３が図２及び図３の時計回り方向に回転すると、プラテンシート３５がリトラクター６５の付勢力に抗して巻取ローラー６１から引き出され、繰出ローラー６３に巻き取られる。この状態では、図２に示されるように、プラテンシート３５の窓部５３が、収納庫３３の底板４１の下方に面する。すなわち、プラテンシート３５が収納庫３３の底板４１の下方から退避して、底板４１が窓部５３からプラテンガラス１３の原稿載置面１３ａに露出する。すると、スキャナー７によって、プラテンシート３５の窓部５３を通して収納庫３３の底板４１をスキャン可能となる。スキャナー７は、ＣＣＤセンサー２７の焦点が原稿載置面１３ａに一致するように設定されているが、前述のように、底板４１は、筐体３１の底板の開口面にできるだけ近接するように配置されているので、ＣＣＤセンサー２７の焦点のズレ（光軸方向における原稿載置面１３ａからのズレ）を小さくできる。
【００２６】
一方でモーター６７が停止すると、繰出ローラー６３が回転自在となり、リトラクターの付勢力によって巻取ローラー６１が巻取方向に回転する。これにより、プラテンシート３５が巻取ローラー６１に巻き取られ、開口３２がプラテンシート３５で閉じられる。
【００２７】
次に、入出庫管理手段としてのコントローラー７１について、図４のブロック図を参照して説明する。
【００２８】
コントローラー７１は、例えばマクロコントローラー又はマイクロプロセッサーであり、ＣＰＵ（中央演算処理装置）を備えている。コントローラー７１には、ＩＣカードリーダー５、電気錠４５、蓋開閉検知手段４９、スキャナー７、巻取機構３７、記憶装置７３及び通信回路７５が電気的に接続されている。
【００２９】
コントローラー７１には、ＩＣカードリーダー５で読み取られたユーザーＩＤが入力される。コントローラー７１は、入力されたユーザーＩＤに基づいて個人認証処理を実行する。この個人認証処理には、ユーザーが、電気錠４５を施錠又は解錠する権限を有しているか否かを判定する処理も含まれる。コントローラー７１は、個人認処理によってユーザーが電気錠４５を施錠又は解錠する権限を有していると判定された場合に、電気錠４５を施錠又は解錠する。
【００３０】
コントローラー７１には、蓋開閉検知手段４９からオン信号又はオフ信号が入力される。コントローラー７１は、オン信号が入力されると、収納庫３３の蓋４７が閉じられたことを判定し、オフ信号が入力されると、収納庫３３の蓋４７が開かれたことを判定する。
【００３１】
コントローラー７１はスキャナー７を制御して、プラテンガラス１３の原稿載置面１３ａをスキャンし、ＣＣＤセンサー２７から出力された電気信号に基づいて画像データを生成する。画像読取処理が実行される場合は、原稿載置面１３ａに載置された原稿の画像データが生成される。物品管理処理が実行される場合は、収納庫３３の底板４１の画像を含む画像データが生成される。前述のように、収納庫３３の底板４１の画像には、収納庫３３に収納された物品Ａのコードが含まれる。
【００３２】
コントローラー７１は、巻取機構３７のモーター６７を制御して、繰出ローラー６３を回転させてプラテンシート３５を巻取ローラー６１から引き出す。これにより、プラテンシート３５が収納庫３３の底板４１の下方から退避して、収納庫３３の底板４１が、プラテンシート３５の窓部５３を通して原稿載置面１３ａに露出する。
【００３３】
記憶装置７３は、例えばフラッシュメモリー等の半導体記憶装置が集積された半導体記憶装置、又は、例えば、ハードディスクドライブ等の磁気ディスクを有する磁気記憶装置等である。あるいは、コントローラー７１にネットワークを介して接続するサーバーでもよい。
【００３４】
記憶装置７３には、登録済みリストと、ユーザーＩＤリストと、入出庫管理表（図７参照）と、が記憶されている。登録済みリストには、収納庫３３に収納される全ての物品の物品コードが登録されている。物品コードは、例えば、スキャナー７又は別のスキャナー装置によって、予め物品ごとにコードを読み取り、読み取られたコードを画像処理することで取得される。ユーザーＩＤリストには、ユーザーごとに与えられたユーザーＩＤが登録されている。ユーザーＩＤは、ユーザーが所有するＩＣカードに記憶されているユーザーＩＤをＩＣカードリーダー５で読み取ることで取得される。入出庫管理表には、図７に示されるように、登録済みリストに登録されている全ての物品の物品コードに対して、入出庫状態（「入庫」又は「出庫」）、入出庫日時（年月日及び時刻）、入出庫者（ユーザーＩＤ）が、書き換え可能に記録される。
【００３５】
通信回路７５は、画像形成装置１が他の装置と、例えばコンピューターネットワークを介して相互に通信を行うための回路である。
【００３６】
次に、図５のフローチャートを参照して、コントローラー７１によって実行される物品管理処理について説明する。まず、コントローラー７１は、収納庫３３を解錠する指示が入力されたかどうかを判定する（ステップＳ１）。収納庫３３を解錠する指示とは、例えば、画像形成装置１の操作パネル（図示省略）から収納庫３３を解錠する指示が入力されて、ＩＣカードリーダー５によるＩＣカードの読み取りが実行されることである。
【００３７】
収納庫３３を解錠する指示が入力されると、コントローラー７１は、ユーザーＩＤリストを参照して、読み取られたユーザーＩＤに対応するユーザーを認証する（ステップＳ２）。次に、コントローラー７１は、認証されたユーザーが、解錠権限を有するユーザーか否かを判定する（ステップＳ３）。認証されたユーザーが、解錠権限を有するユーザーであると判定されると（ステップＳ３：ＹＥＳ）、コントローラー７１は、収納庫３３の蓋４７の電気錠４５を解錠する（ステップＳ４）。これにより、収納庫３３の蓋４７が開かれて、物品の入出庫が可能となる。ここで、ユーザーが行う入出庫動作は、登録済みの物品を入庫する（ケース１）、登録済みの物品を出庫する（ケース２）、未登録の物品を入庫する（ケース３）のうちのいずれかである。一方、認証されたユーザーが、解錠権限を有するユーザーでないと判定されると（ステップＳ３：ＮＯ）、処理を終了する。
【００３８】
その後、コントローラー７１は、蓋開閉検知手段４９の結果に基づいて、収納庫３３の蓋４７が閉じられた否かを判定する（ステップＳ５）。蓋４７が閉じられたことが判定されると、コントローラー７１は電気錠４５を施錠する（ステップＳ６）。
【００３９】
次に、コントローラー７１は、巻取機構３７のモーター６７を制御して繰出ローラー６３を回転させ、プラテンシート３５を巻取ローラー６１から引き出す（ステップＳ７）。これにより、収納庫３３の底板４１が、プラテンシート３５の窓部５３を通して原稿載置面１３ａに露出する。その後、コントローラー７１は、スキャナー７を制御して、原稿載置面１３ａをスキャンする（ステップＳ８）。これにより、収納庫３３の底板４１の画像が読み取られる。この画像には、収納されている全ての物品に付されたタグ５１に記されたコードが含まれる。その後、コントローラー７１は、読み取られた物品のコード検知処理を実行する（ステップＳ９）。
【００４０】
次に、図６のフローチャートを参照して、物品コード検知処理について説明する。まず、コントローラー７１は、登録済みリストに登録されている全ての物品の収納フラグをオフにする（ステップＳ１１、図８参照）。次に、コントローラー７１は、読み取られた底板４１の画像から、１つ目の物品に付されたタグ５１に記されているコードを選択し、このコードを読み取る（ステップＳ１２）。コントローラー７１は、登録済みリストを参照して、読み取られた物品コードが、登録済みリストに含まれるか否かを判定する（ステップＳ１３）。読み取られた物品コードが登録済みリストに含まれると判定されると（ステップＳ１３：ＹＥＳ）、当該物品の収納フラグをオンにする（ステップＳ１４）。
【００４１】
一方、読み取られた物品コードが登録済みリストに含まれないと判定されると（ステップＳ１３：ＮＯ）、読み取られた物品コードを、登録済リストに新規に登録する（ステップＳ１５）。同時に、コントローラー７１は、入出力管理表（図７参照）の物品コードの欄にこの物品の物品コードを追加し、入出庫状態の欄に「入庫」を追加し、入出庫日時の欄に、ステップＳ６において電気錠４５が施錠された時刻を追加し、入出庫者の欄に、ステップＳ３において解錠権限があると認証されたユーザーのユーザーＩＤを追加する。この場合、当該物品が未登録であり、今回の入出庫動作でユーザーが未登録の物品を入庫したこと（ケース３）を示す。そして、当該物品の収納フラグをオンにする（ステップＳ１４）。
【００４２】
その後、コントローラー７１は、入出庫管理表に基づいて、当該物品の入出庫状態が「出庫」状態か否かを判定する（ステップＳ１６）。当該物品の入出庫状態が「出庫」であると判定されると（ステップＳ１６：ＹＥＳ）、すなわち、入出庫管理表の当該物品の入出庫状態の欄に、「出庫」と記録されていると、コントローラー７１は、入出力管理表の当該物品の入出庫状態を、「入庫」に書き換える（ステップＳ１７）。同時に、入出庫日時を、ステップＳ６において電気錠４５が施錠された時刻に書き換え、入出庫者を、ステップＳ３において解錠権限があると認証されたユーザーのユーザーＩＤに書き換える。この場合、当該物品は登録済みで、かつ、今回の入出庫動作が行われるまで出庫状態であり、今回の入出庫動作でユーザーが当該物品を入庫したこと（ケース１）を示す。
【００４３】
一方で、当該物品の入出庫状態が、「出庫」でないと判定されると（ステップＳ１６：ＮＯ）、すなわち、入出庫管理表の入出庫状態が「出庫」と記録されていないと、現時点での当該物品の入出庫状態は、「入庫」状態を示す。この場合、当該物品は登録済みで、かつ、今回の入出庫動作が行われるまで入庫状態であり、今回の入出庫動作でも入庫状態が維持されていること、すなわち、当該物品が今回の入出庫動作に関わっていないことを示す。
【００４４】
そして、読み取られた底板４１の画像から、収納された全ての物品のコードを読み取り、読み取られたコードに対して、ステップＳ１２〜ステップＳ１７の処理を実行する（ステップＳ１８）。この段階で、収納庫３３に収納されている全ての物品の収納フラグはオンとなっている。
【００４５】
次に、収納フラグがオフの１つの物品のコードを選択する（ステップＳ１９）。収納フラグがオフの物品とは、登録済みリストに登録されているが、現時点で収納庫３３に収納されていない（出庫されている）物品を示している。そして、選択された物品について、入出庫管理表の入出庫状態が「入庫」か否かを判定する（ステップＳ２０）。選択された物品の入出庫状態が「入庫」であると判定されると（ステップＳ２０：ＹＥＳ）、入出庫管理表の当該物品の入出庫状態を、「出庫」に書き換える（ステップＳ２１）。同時に、入出庫日時を、ステップＳ６において電気錠４５が施錠された時刻に書き換え、入出庫者を、ステップＳ３において解錠権限があると認証されたユーザーのユーザーＩＤに書き換える。この場合、当該物品は登録済みで、今回の入出庫動作が行われるまで入庫状態であり、今回の入出庫動作でユーザーが当該物品を出庫したこと（ケース２）を示す。
【００４６】
一方で、選択された物品の入出庫状態が「入庫」でないと判定されると（ステップＳ２０：ＮＯ）、当該物品の現時点の入出庫状態は、「出庫」であることを示す（ステップＳ２１）。この場合、当該物品は登録済みで、かつ、今回の入出庫動作が行われるまで出庫状態であり、今回の入出庫動作でも出庫状態が維持されていること、すなわち、当該物品が今回の入出庫動作に関わっていないことを示す。
【００４７】
そして、収納フラグがオフの物品のコードの全てに対して、ステップＳ１９〜ステップＳ２１の処理を実行する（ステップＳ２２）。以上により、１回の入出庫動作における物品の入出庫管理処理が終了する。
【００４８】
上記説明から明らかなように、本発明の画像形成装置１によれば、物品の収納庫３３を備えるので、画像形成装置１に付加価値を与え、汎用性を高めることができる。さらに、ユーザーが、登録済みの物品を入庫したこと（ケース１）、登録済みの物品を出庫したこと（ケース２）、未登録の物品を入庫したこと（ケース３）を判定し、物品の入出庫状態、入出庫日時、入出庫者を記録するので、物品の移動を細かく管理することができる。さらには、画像読取装置３に備えられているスキャナー７を使用して物品のコードを読み取って、読み取られたコードに基づいて入出庫を管理するので、追加部品の数を少なくでき、コストの上昇を抑えることができる。
【００４９】
さらに、収納庫３３は、権限を持つユーザーのみが解錠及び施錠可能な電気錠４５を備えているので、権限を持つユーザーのみが収納庫３３を使用可能となり、貴重な物品を厳しく管理することができる。ただし、電気錠４５は必ずしも設ける必要はない。電気錠４５を設けない場合は、全てのユーザーが収納庫３３を使用することができるので、多くのユーザーに共通に使用される物品の管理に適している。
【００５０】
また、複数台の画像形成装置１を、通信回路７５を介して接続することもできる。この場合、入出庫管理表に、図９に示されるように、各画像形成装置１を識別可能な識別番号の欄を追加し、各物品の入出庫が行われた画像形成装置１の識別番号を記録する。これにより、広い範囲にわたる物品の移動を管理することができる。
【００５１】
さらには、入出庫管理表に、各物品の入出庫履歴を記録するようにしてもよい。この場合、過去から現在までの物品の移動を追跡することができる。
【００５２】
本発明は特定の実施形態について記載されてきたが、本発明は上記実施形態に限定されない。本発明の範囲及び主旨を逸脱しない限りにおいて、当業者は上記実施形態を改変可能である。
【符号の説明】
【００５３】
１  画像形成装置
７  スキャナー（読取手段）
９  プラテンカバー
１３  プラテンガラス
１３ａ  原稿載置面
３３  収納庫
３５  プラテンシート
３７  巻取手段（プラテンシート退避手段）
４１  底板
４５  電気錠
７１  コントローラー（入出庫管理手段）
７５  通信回路
【図１】
2020182058.tif 000003
【図２】
2020182058.tif 000004
【図３】
2020182058.tif 000005
【図４】
2020182058.tif 000006
【図５】
2020182058.tif 000007
【図６】
2020182058.tif 000008
【図７】
2020182058.tif 000009
【図８】
2020182058.tif 000010
【図９】
2020182058.tif 000011